【誤訳訂正書】
【提出日】令和3年9月2日(2021.9.2)
【誤訳訂正１】
【訂正対象書類名】明細書
【訂正対象項目名】全文
【訂正方法】変更
【訂正の内容】
【発明の詳細な説明】
【発明の名称】緊急音声サービス対応可否標示
【技術分野】
【０００１】
本願明細書に記載の主題は、無線ネットワークにおける緊急音声通話を含む緊急サービスに関する。
【背景】
【０００２】
第５世代（５Ｇ）無線ネットワークは、ロングタームエボリューション（ＬＴＥ）、３Ｇ、等の以前の世代と比較して、極めて広帯域でロバストな低レイテンシ接続性、および／またはモノのインターネット（ＩｏＴ）に対する極めて大量の機械管接続が実現されうる。５Ｇでは、ネットワークは新無線（New Radio：ＮＲ）と称される無線アクセス技術（Radio Access Technology：ＲＡＴ）を含みうる。これは、ユーザ機器（User Equipment：ＵＥ）に対するワイヤレスな無線アクセスネットワークを実現するものである。ＮＲアクセス技術はさらに、５Ｇコアネットワーク（ＣＮ）等のコアネットワークに接続してもよい。５Ｇでは、５Ｇコアネットワークにより、多様なオプションに対応可能となる。スタンドアローンＮＲや、発展型ＵＭＴＳ地上無線アクセス（Evolved UMTS Terrestrial Radio Access：Ｅ−ＵＴＲＡ）拡張オプションのアンカーとなるＮＲ、スタンドアローンＥ−ＵＴＲＡ、およびＮＲ拡張オプションのアンカーとなるＥ−ＵＴＲＡである。これらオプションは、３ＧＰＰ  ＴＳ  ２３．５０１、第３世代パートナーシッププロジェクト（3rd Generation Partnership Project）、技術仕様グループサービスおよびシステム態様（Technical Specification Group Services and System Aspects）、５Ｇシステムのシステムアーキテクチャ（System Architecture for the 5G System）、ステージ２（リリース１５）に応じたものでありうる。
【０００３】
さらに、５Ｇコアネットワークは、インターネットマルチメディアサービス（ＩＭＳ）を含む別のネットワークおよび／またはノードへのインタフェース、発展型パケットコア（Evolved Packet Core：ＥＰＣ）等の別のコアネットワークへのインタフェース、および／またはＬＴＥ等のその他の種類の無線アクセス技術へのインタフェースを含みうる。音声に関しては、５ＧはＮＲアクセス技術によるＩＭＳ（例えば、ＩＭＳボイスオーバーパケット切換）を使用してユーザ機器への音声をサポートしてもよい。これにより、所定品質のサービス／ビットレート保証サービスが提供される。
【摘要】
【０００４】
緊急呼び出し制御用の方法、およびコンピュータプログラム製品を備える装置が提供される。
【０００５】
一部の例示的実施形態では、ユーザ機器が第５世代無線アクセス技術で緊急通話を実行するか、フォールバックとして別の無線アクセス技術で実行するかを制御する標示を前記ユーザ機器が受信することと、前記受信した標示に基づいて、前記ユーザ機器が前記緊急通話を実行することと、を含む方法が提供されてもよい。
【０００６】
一部の変形例では、実現可能な組合せであれば、以下の特徴を含む、本願明細書に記載の１つ以上の特徴が任意で含まれてもよい。すなわち、前記標示は、前記ユーザ機器に対して、前記緊急通話に前記第５世代無線アクセス技術を使用することを示してもよい。前記ユーザ機器は、少なくとも前記別の無線アクセス技術のサービス提供を受けてもよい。前記標示は、前記ユーザ機器に対して、その他の音声および／またはデータサービスには前記第５世代無線アクセス技術を使用しながら、前記緊急通話には前記別の無線アクセス技術を使用することを示してもよい。前記標示は、前記ユーザ機器に対して、前記第５世代無線アクセス技術が前記緊急通話に対応することを示してもよい。前記標示は、前記ユーザ機器に対して、前記第５世代無線アクセス技術が前記緊急通話に対応することを示してもよい。前記ユーザ機器は、前記第５世代無線アクセス技術のサービス提供を受けてもよい。前記標示は、前記ユーザ機器に対して、前記緊急通話に別のコアネットワークを使用することを示してもよい。前記標示は、第５世代コアネットワークが緊急通話に対応しているか否かを示してもよい。前記別の無線アクセス技術は、発展型ＵＭＴＳ地上無線アクセスおよび／またはロングタームエボリューションを含んでもよい。前記第５世代無線アクセス技術は、少なくとも第５世代コアネットワークに接続される新無線アクセス技術を含んでもよい。前記標示は、前記ユーザ機器により、非アクセス層シグナリングを介してコアネットワークから受信され、さらに／あるいは無線リソース制御シグナリングおよび／またはシステム情報ブロードキャストを含むアクセス層シグナリングを介して基地局から受信されてもよい。
【０００７】
一部の例示的実施形態では、ユーザ機器が第５世代無線アクセス技術で緊急通話を実行するか、フォールバックとして別の無線アクセス技術で実行するかを制御する標示を前記ユーザ機器に送信することと、前記送信した標示に基づいて、前記緊急通話を扱うことと、を含む方法が提供されてもよい。
【０００８】
一部の変形例では、実現可能な組合せであれば、以下の特徴を含む、本願明細書に記載の１つ以上の特徴が任意で含まれてもよい。すなわち、前記標示は、前記ユーザ機器に対して、前記緊急通話に前記第５世代無線アクセス技術を使用することを示してもよい。前記ユーザ機器は、少なくとも前記別の無線アクセス技術のサービス提供を受けていてもよい。前記標示は、前記ユーザ機器に対して、その他の音声および／またはデータサービスには前記第５世代無線アクセス技術を使用しながら、前記緊急通話には前記別の無線アクセス技術を使用することを示してもよい。前記標示は、前記ユーザ機器に対して、前記第５世代無線アクセス技術が前記緊急通話に対応することを示してもよい。前記標示は、前記ユーザ機器に対して、前記第５世代無線アクセス技術が前記緊急通話に対応しないことを示してもよい。前記ユーザ機器は、前記第５世代無線アクセス技術のサービス提供を受けてもよい。前記標示は、前記ユーザ機器に対して、前記緊急通話に別のコアネットワークを使用することを示してもよい。前記標示は、第５世代コアネットワークが緊急音声通話に対応しているか否かを示してもよい。前記別の無線アクセス技術は、発展型ＵＭＴＳ地上無線アクセスおよび／またはロングタームエボリューションを含んでもよい。前記第５世代無線アクセス技術は、少なくとも第５世代コアネットワークに接続される新無線アクセス技術を含んでもよい。前記標示は、前記ユーザ機器に、非アクセス層シグナリングを介してコアネットワークから送信され、さらに／あるいはアクセス層シグナリングを介して基地局から送信されてもよい。
【０００９】
一部の例示的実施形態では、ユーザ機器が第５世代コアネットワークで緊急通話を実行するか、フォールバックとして別のコアネットワークで実行するかを制御する標示を前記ユーザ機器が受信することと、前記受信した標示に基づいて、前記ユーザ機器が前記緊急通話を実行することと、を含む方法が提供されてもよい。
【００１０】
一部の変形例では、実現可能な組合せであれば、以下の特徴を含む、本願明細書に記載の１つ以上の特徴が任意で含まれてもよい。すなわち、前記標示は、前記ユーザ機器に対して、前記第５世代コアネットワークを介して前記緊急通話を実行することを示すものであってもよい。前記標示は、前記ユーザ機器に対して、前記第５世代コアネットワークを介して前記緊急通話を実行しないで、前記別のコアネットワークにフォールバックすることを示すものであってもよい。前記標示は、前記ユーザ機器に対して、前記別のコアネットワークを使用することを示すものであってもよい。前記標示は、前記ユーザ機器により、非アクセス層シグナリングを介しておよび／またはアクセス層シグナリングを介して受信されてもよい。前記アクセス層シグナリングは、基地局から、システム情報ブロードキャストおよび／または無線リソース制御メッセージを介して受信されてもよい。前記非アクセス層シグナリングは、前記第５世代コアネットワーク、アクセスおよびモビリティ管理機能、および／または前記別のコアネットワークから受信されてもよい。前記第５世代コアネットワークは、第５世代無線アクセス技術および／または発展型ＵＭＴＳ地上無線アクセスに接続されてもよい。前記別のコアネットワークは、発展型パケットコアを含んでもよい。
【００１１】
一部の例示的実施形態では、ユーザ機器が第５世代コアネットワークで緊急通話を実行するか、フォールバックとして別のコアネットワークで実行するかを制御する標示を前記ユーザ機器に送信することと、前記送信した標示に基づいて、前記緊急通話を扱うことと、を含む方法が提供されてもよい。
【００１２】
一部の変形例では、実現可能な組合せであれば、以下の特徴を含む、本願明細書に記載の１つ以上の特徴が任意で含まれてもよい。すなわち、前記標示は、前記ユーザ機器に対して、前記第５世代コアネットワークを介して前記緊急通話を実行することを示すものであってもよい。前記標示は、前記ユーザ機器に対して、前記第５世代コアネットワークを介して前記緊急通話を実行しないで、前記別のコアネットワークにフォールバックすることを示すものであってもよい。前記標示は、前記ユーザ機器に対して、前記別のコアネットワークを使用することを示すものであってもよい。前記標示は、前記ユーザ機器により、非アクセス層シグナリングを介しておよび／またはアクセス層シグナリングを介して受信されてもよい。前記アクセス層シグナリングは、基地局から、システム情報ブロードキャストおよび／または無線リソース制御メッセージを介して受信されてもよい。前記非アクセス層シグナリングは、前記第５世代コアネットワーク、アクセスおよびモビリティ管理機能、および／または前記別のコアネットワークから受信されてもよい。前記第５世代コアネットワークは、第５世代無線アクセス技術および／または発展型ＵＭＴＳ地上無線アクセスに接続されてもよい。前記別のコアネットワークは、発展型パケットコアを含んでもよい。
【００１３】
上述の態様および特徴は、所望の構成に応じて、システム、装置、方法、および／または物品として実装されてもよい。本願明細書に記載された主題の１つ以上の変形の詳細を、添付の図面と下記の説明にて定める。本願明細書に記載された主題の特徴および効果は、説明、図面、および請求項から自明である。
【図面の簡単な説明】
【００１４】
【図１】図１は、一部の例示的実施形態に係るスタンドアローンＮＲ構成を含む５Ｇネットワークの例を示す。
【図２】図２は、一部の例示的実施形態に係るＬＴＥアクセスネットワークと重複したＮＲアクセスネットワークの例を示す。
【図３】図３は、一部の例示的実施形態に係るＮＲおよびＥ−ＵＴＲＡを含む５Ｇネットワーク構成の例を示す。
【図４】図４は、一部の例示的実施形態に係るＮＲおよびＥ−ＵＴＲＡを含む５Ｇネットワーク構成の例を示す。
【図５Ａ】図５Ａは、一部の例示的実施形態に係るＮＲおよびＥ−ＵＴＲＡを含む５Ｇネットワーク構成の例を示す。
【図５Ｂ】図５Ｂは、一部の例示的実施形態に係るＮＲおよびＥ−ＵＴＲＡを含む５Ｇネットワーク構成の例を示す。
【図６】図６は、一部の例示的実施形態に係る緊急音声呼び出し処理の例を示す。
【図７】図７は、一部の例示的実施形態に係る緊急音声呼び出し処理の別の例を示す。
【図８】図８は、一部の例示的実施形態に係る装置の例を示す。
【００１５】
図面において同一または同様の項目は同様の符号を使用する。
【詳細説明】
【００１６】
第５世代（５Ｇ）無線ネットワークを含む無線ネットワークにおいて５Ｇシステムは、スペクトル割当が高帯域（例えば、スペクトルのミリ波部分）である場合に、新無線（ＮＲ）アクセス技術をデータサービスにのみ使用するように構成されてもよい。一方でスペクトルがより低帯域で利用される場合（例えばスペクトルのＡＷＳ（advanced ratio service）部分、６００Ｍｈｚ低帯域等）、ＮＲアクセス技術はデータサービスおよび音声サービスに使用されてもよい。さらに、５Ｇネットワークは、ＮＲアクセス技術を通常音声送信に使用し、緊急通話等の緊急サービス時には、ＬＴＥ等の別の無線アクセス技術および／またはその他の種類の無線アクセス技術にフォールバックしてもよい。
【００１７】
一部の例示的実施形態では、５Ｇシステムが緊急通話にどのように対応するかが制御されてもよい。
【００１８】
一部の例示的実施形態では、５Ｇコアネットワークおよび／または無線アクセスネットワーク（例えば、ＮＲアクセス技術および／またはＬＴＥのＥ−ＵＴＲＡ）が、ユーザ機器による緊急呼び出しの扱いを制御してもよい。
【００１９】
ユーザ機器によって実際の緊急音声通話が行われる前に、５Ｇコアネットワークおよび／または無線アクセスネットワークは、少なくともユーザ機器に標示を送信することにより、ユーザ機器が緊急通話をどのように扱うべきかを制御してもよい。すなわち、通話がＥ−ＵＴＲＡ等のＬＴＥ無線アクセスネットワーク、またはＮＲアクセス技術等の５Ｇ無線アクセスネットワークで扱われるべきかということである。この制御を実現するために、ユーザ機器は、コアネットワークから（例えば、非アクセス層シグナリングを介して）および／または基地局から（例えば、無線リソース制御シグナリング等のアクセス層シグナリングおよび／またはシステム情報ブロードキャスト等を介して）標示を受信してもよい。
【００２０】
一部の例示的実施形態では、ユーザ機器は、ユーザ機器がＮＲアクセス技術を通じて緊急通話を行えるかを示す標示を受信してもよい。例えば、ユーザ機器が少なくともＥ−ＵＴＲＡに接続されている場合、標示は「はい」を示しうる。この場合、ユーザ機器は緊急通話がＮＲアクセス技術ネットワーク経由でのみ行われると認識する。したがって、この例では、ユーザ機器は緊急通話にのみＮＲアクセスを使用し、他のデータおよび音声サービスには引き続きＥ−ＵＴＲＡが使用されてもよい。上述のように、標示は、コアネットワークから（例えば、非アクセス層シグナリングを介して）および／または基地局から（例えば、無線リソース制御シグナリング等のアクセス層シグナリングおよび／またはシステム情報ブロードキャスト等を介して）受信されてもよい。
【００２１】
さらに／あるいは、一部の実施形態では、ユーザ機器は、ＬＴＥのＥ−ＵＴＲＡ等の別のアクセス技術を介して、ユーザ機器が緊急通話を行うことができるかを示す標示を受信してもよい。例えば、ユーザ機器が少なくともＮＲアクセス技術ネットワークに接続されている場合、標示は「はい」を示しうる。この場合、ユーザ機器は緊急通話がＥ−ＵＴＲＡ経由でのみ行われると認識する（例えば、これはボイスオーバーＬＴＥ（ＶｏＬＴＥ）によるフォールバックまたは回線交換フォールバック（Circuit Switched Fall Back：ＣＳＦＢ）である）。したがって、この例では、ユーザ機器は緊急通話にのみＥ−ＵＴＲＡを使用し、他のデータおよび音声サービスには引き続きＮＲが使用されてもよい。一方で、ユーザ機器は「いいえ」を示す標示を受信すると、緊急通話が５Ｇ／ＮＲを通じて行われると認識する。上述のように、標示は、コアネットワークから（例えば、非アクセス層シグナリングを介して）および／または基地局から（例えば、無線リソース制御シグナリング等のアクセス層シグナリングおよび／またはシステム情報ブロードキャスト等を介して）受信されてもよい。
【００２２】
さらに／あるいは、ユーザ機器は、５Ｇコアネットワークおよび／またはＮＲアクセス技術が緊急呼び出しに対応するかを示す標示を受信してもよい。例えば、ユーザ機器が少なくともＮＲアクセス技術ネットワークに接続されていると、標示は「はい」を示しうる。この場合、ユーザ機器は、５ＧコアネットワークおよびＮＲを含む５Ｇシステムが緊急通話に対応することを認識する。標示が「いいえ」を示すと、ユーザ機器は別の無線アクセス技術にフォールバック（例えば、ＶｏＬＴＥおよび／またはＣＳＦＢ等）する必要がありうる。上述のように、標示は、コアネットワークから（例えば、非アクセス層シグナリングを介して）および／または基地局から（例えば、無線リソース制御シグナリング等のアクセス層シグナリングおよび／またはシステム情報ブロードキャスト等を介して）受信されてもよい。
【００２３】
一部の例示的実施形態では、ユーザ機器は、どのコアネットワーク（ＥＰＣの非アクセス層プロトコルまたは５Ｇコアネットワーク非アクセス層等）を使用して緊急通話を行うべきかを示す標示を受信してもよい。この標示は、コアネットワークから（例えば、非アクセス層シグナリングを介して）および／または基地局から（例えば、無線リソース制御シグナリング等のアクセス層シグナリングおよび／またはシステム情報ブロードキャスト等を介して）受信されてもよい。
【００２４】
さらに、ＮＲ無線アクセスネットワークは、ユーザ機器に対して、ＮＲが緊急呼び出しに対応していないことを示す、またはＥ−ＵＴＲＡが緊急呼び出しにのみ使用されるべきであることを示すことにより、ユーザ機器が緊急呼び出し時にはＮＲからＥ−ＵＴＲＡに切り換えるべきか否かを示してもよい。さらに、ネットワークは、緊急通話用の５Ｇコアネットワークを使用すべきではないことを示す、またはＥＰＣ／Ｅ−ＵＴＲＡが緊急呼び出しにのみ使用されるべきだという別個の標示を利用することにより、どのコアネットワーク（例えば、非アクセス層プロトコル）を緊急通話に使用すべきかを示してもよい。これは、５Ｇコアネットワークが緊急呼び出しに対応するかも示してもよい。
【００２５】
発展型パケットシステム（ＥＰＳ）（例えば、Ｅ−ＵＴＲＡ／ＥＰＣ）について説明する。図１は、一部の例示的実施形態に係る所謂「スタンドアローン」ＮＲアクセス技術の構成を有する５Ｇネットワーク１００を示すブロック図である。５Ｇネットワーク１００は、少なくとも１つの基地局１１５によってサービス提供を受ける少なくとも１つのユーザ機器１１０を備えてもよい。基地局１１５は、カバレッジエリア１１７内で５Ｇ  ＮＲアクセス技術を提供するように構成されてもよい。基地局１１５は、その他のネットワークノード、および／またはさらにＩＭＳ１３０に接続されうる５Ｇコアネットワーク１２０を含むネットワークに接続されてもよい。
【００２６】
上述のように、図１の例はスタンドアローンオプションを示し、これは３ＧＰＰ  ＴＳ  ２３．５０１に基づき、ＩＭＳを含んでもよい。さらに、その他の構成および／またはオプションも利用可能である。スタンドアローンオプションでは、ユーザ機器１１０は緊急呼び出し時に、ＬＴＥ重複ネットワーク等のその他の無線アクセス技術を利用せず、ＮＲアクセス技術を利用して動作する。
【００２７】
上述のように、５Ｇネットワーク１００は、ＮＲアクセス用のスペクトルが高帯域（ミリ波等）であればデータサービスにのみ５Ｇ  ＮＲアクセス技術１１５／１１７を使用するように構成されてもよい。一方でスペクトルが低帯域で動作する場合、５Ｇネットワークはデータサービスおよび音声サービスを利用するように構成されてもよい。さらに、５ＧネットワークはＮＲアクセス技術を通常音声に使用し、緊急通話呼び出しには、ＬＴＥネットワーク（例えば、ＬＴＥ重複または別個のＬＴＥネットワーク）にフォールバックするように構成されてもよい。ＮＲアクセス技術がＩＭＳボイスオーバーパケット切り換え等の音声サービスに対応し、ＬＴＥ等のその他の無線アクセス技術が緊急通話に利用されると、一部の例示的実施形態では、緊急通話をどのように扱うべきかに関する１つ以上の標示がない限り、制御に問題が生じうる。すなわち、ユーザ機器１１０は、緊急呼び出しに５Ｇが使用できるか、そもそも５Ｇネットワークが緊急呼び出しに対応しているのか、および／またはユーザ機器が緊急呼び出しのためにＥＰＣの使用を検討すべきかを把握していない場合がある。したがって、５Ｇ  ＮＲアクセス技術を利用するユーザ機器１１０は、一部の例示的実施形態に係る緊急通話の扱いに関する標示を受信してもよい。一部の例示的実施形態では、この標示は、コアネットワークから非アクセス層シグナリングを介して（例えば、ユーザ機器のコアネットワーク登録中）に受信されてもよい。さらに／あるいは、標示は、基地局から（例えば、無線リソース制御シグナリング等のアクセス層シグナリング、および／またはシステム情報ブロードキャスト等を介して）受信されてもよい。
【００２８】
図２は、一部の例示的実施形態に係るＬＴＥ無線アクセス技術カバレッジエリア２１７等の別の無線アクセス技術に重なるＮＲカバレッジ１１７を示す。上述のように、５Ｇコアネットワークがデータ専用にＮＲアクセス技術サービス提供エリア１１７を使用する場合もありうる。このような場合にも、ＬＴＥ無線アクセス技術２１７はユーザ機器に緊急音声通話を実行可能にする。したがって、ネットワークは重複ＬＴＥ無線ネットワーク（または別個のＬＴＥネットワーク）を含んでもよい。
【００２９】
図３は、一部の例示的実施形態に係るＬＴＥが補助する構成の５Ｇネットワーク１００を示す。図３に示す例では、５Ｇコアネットワーク１２０は、基地局３１５（例えば発展型ノードＢ基地局）に対する制御プレーンおよびユーザプレーン接続を構築し、これによりＥ−ＵＴＲＡカバレッジエリア２１７を提供してもよい（上述のように、重複ネットワークまたは別個のネットワークとなりうる）。基地局３１５（およびＮＲ基地局１１５）は、ユーザ機器１１０に対するユーザおよび／または制御プレーン接続を構築してもよい。この例では、ＬＴＥ無線アクセス技術３１５／２１７がアンカーとなり、ＮＲアクセス技術１１５／１１７がユーザ機器１１０に提供されるアクセスを「補助」または「拡張」する。
【００３０】
図３において、ユーザ機器１１０は、緊急呼び出しにＮＲアクセス技術／５Ｇコアネットワークを使用できるかについての標示を受信してもよい。ユーザ機器１１０は、この標示を基地局から、システム情報ブロードキャスト、および／または無線リソース制御シグナリング等のアクセス層を介して受信してもよい。例えば、基地局３１５／１１５は、システム情報ブロードキャストの一環として、緊急呼び出しにＮＲ／５Ｇコアネットワーク１２０が使用可能であるか、あるいはユーザ機器がＥ−ＵＴＲＡに対する無線アクセス技術フォールバック（またはＥＰＣへのシステムフォールバック）を行うべきかをブロードキャストしてもよい。さらに／あるいは、標示が５Ｇコアネットワーク１２０からユーザ機器に提供されてもよい（レジストレーション時またはその他のタイミング）。より具体的には、一部の例示的実施形態によると、Ｅ−ＵＴＲＡ３１５またはＮＲ１１５は、５Ｇコアネットワークモードが緊急呼び出し利用可能であれば、「はい」を示す標示をユーザ機器１１０に送ってもよい。これらの標示（基地局３１５／１１５からのシステム情報ブロードキャストおよび／または無線リソース制御等で伝送されうる）は、ユーザ機器１１０に、５Ｇネットワークを緊急呼び出しに使用すべきと通知するものであってもよい。基地局または５Ｇコアネットワークが、ユーザ機器１１０は緊急通話（例えば、Ｅ−ＵＴＲＡ２１７および基地局３１５を介した）にＥ−ＵＴＲＡ（例えば、無線アクセス技術フォールバック）を使用すべきであると示す場合、ユーザ機器は緊急通話時にＥ−ＵＴＲＡに切り換えてもよい。基地局または５Ｇコアネットワークが、ユーザ機器１１０は発展型パケットシステム（ＥＰＳ）（例えば、Ｅ−ＵＴＲＡ／ＥＰＣ）にシステムフォールバックするべきと示す場合、ユーザ機器１１０は緊急フォールバック用にＥ−ＵＴＲＡおよびＥＰＣ３７０に切り換えてもよい。
【００３１】
図３において、ユーザ機器１１０は、ＥＰＳが緊急通話に使用可能かに関する標示、および／またはＮＲアクセス技術／５Ｇコアネットワークが緊急通話に対応するかに関する標示を受信してもよい。ユーザ機器は標示（一方または両方）を、アクセス層（例えば、基地局３１５／１１５からのシステム情報ブロードキャストおよび／または無線リソース制御等として）を通じて受信してもよいし、あるいは標示（一方または両方）を、非アクセス層から（例えば、レジストレーション時またはその他のタイミングでコアネットワーク１２０から）受信してもよい。より具体的には、ユーザ機器が「はい」を示す標示を受信すると、Ｅ−ＵＴＲＡおよびＥＰＣ３７０が緊急通話に利用可能で、ユーザ機器は緊急音声通話にＥ−ＵＴＲＡを利用し、５Ｇをその他の種類の通話に利用し続けてもよい。さらに、ユーザ機器が「はい」を示す標示を受信すると、５Ｇネットワークは緊急通話に対応し、ユーザ機器は５Ｇを緊急音声通話に利用してもよい。ユーザ機器が「いいえ」を示す標示を受信すると、５Ｇコアネットワークモードは緊急呼び出しに対応せず、その場合、ユーザ機器は５Ｇシステムを緊急呼び出しに利用できないため、代わりにＥＰＳを緊急呼び出しに利用する。この場合、ネットワークは、ユーザ機器が無線アクセス技術フォールバックまたはシステムフォールバックを実行すべきか示す。したがって、ユーザ機器は、緊急呼び出し時にＥ−ＵＴＲＡ／５ＧＣおよび／またはＥ−ＵＴＲＡ／ＥＰＣに切り換える。
【００３２】
図４は、一部の例示的実施形態に係るＮＲ補助構成における５Ｇネットワーク１００を示す。図４の例では、５Ｇコアネットワーク１２０がＮＲアクセス技術１１５／１１７に対する制御プレーンおよびユーザプレーン接続を構築してもよく、無線アクセス技術も対応する接続を構築してもよい。図４において、ユーザ機器１１０は、ＥＰＳが緊急通話にのみ使用可能か、および／またはＲアクセス技術／５Ｇコアネットワークが緊急通話に対応するかに関する標示を受信してもよい。ユーザ機器は、標示（一方または両方）をアクセス層（例えば、基地局３１５／１１５からのシステム情報ブロードキャストおよび／または無線リソース制御等として）を通じて受信してもよいし、あるいは標示（一方または両方）を、非アクセス層（例えば、レジストレーション時またはその他のタイミングでコアネットワーク１２０から）を通じて受信してもよい。
【００３３】
標示が「はい」を示すと、ＥＰＳは緊急通話にのみ利用可能で、緊急通話はボイスオーバーＬＴＥ通話または回線交換フォールバックにより実施されてもよく、５Ｇはその他のデータおよび音声サービスに継続して利用されてもよい。ここで、ユーザ機器は、５Ｇ  ＣＮ１２０を通じて緊急通話を行うべきではなく、代わりに上述のように緊急通話に（例えばＴＳ  ２３．４０１に規定のＥＰＣ  ＮＡＳ手順により）Ｅ−ＵＴＲＡ２１７／３１５およびＥＰＣ３７０を使用する。さらに、標示が「はい」を示す場合、ＮＲアクセス技術／５Ｇコアは緊急音声通話に対応し、ユーザ機器１１０は５Ｇコアネットワーク１２０を通じて緊急通話（例えば、９１１および／または１１２等）を実行してもよい。
【００３４】
図５Ａは、一部の例示的実施形態に係る別個のＥ−ＵＴＲＡ２１７およびＥＰＣ３７０を含むスタンドアローンＮＲ構成における５Ｇネットワーク１００を示す。図５は、図１と同様だが、別個のＬＴＥネットワーク２１７／３７０を示す点で異なる。図５Ａにおいて、ユーザ機器１１０は、ＮＲアクセス技術／５Ｇコアネットワークが緊急通話に対応するかに関する標示を受信してもよい。さらに、ユーザ機器１１０は緊急呼び出しにＥＰＳを使用されるかについての標示を受信してもよい。ユーザ機器はこの標示を、アクセス層（例えば、基地局３１５／１１５からのシステム情報ブロードキャストおよび／または無線リソース制御シグナリング等として）を通じて受信してもよいし、あるいは標示（一方または両方）を、非アクセス層（例えば、レジストレーション時またはその他のタイミングでコアネットワーク１２０から）から受信してもよい。
【００３５】
図５Ｂは、一部の例示的実施形態に係るＥ−ＵＴＲＡ２１７／基地局３１５に接続された５Ｇコアネットワーク１２０を示す。図５Ｂにおいて、ユーザ機器１１０は、ＮＲアクセス技術／５Ｇコアネットワークを緊急呼び出しに使用できるかについての標示を受信してもよい。図５Ｂにおいて、ユーザ機器１１０は、ＥＰＳを緊急呼び出しに使用できるかについての標示を受信してもよい。例えば、標示が「いいえ」を示す場合、ユーザ機器は緊急呼び出しに５Ｇを使用せず、代わりにＥ−ＵＴＲＡを使用してもよい。一方で標示が「はい」を示す場合、ユーザ機器は緊急呼び出しに５Ｇの使用を試みてもよい。さらに、５Ｇアクセスネットワークを通じた緊急通話を試みる前に、ユーザ機器１１０は、ＮＲアクセス技術／５Ｇコアネットワークが緊急通話に対応するかについての標示を受信してもよい。対応する場合、ユーザ機器１１０は緊急呼び出しを実行してもよい。
【００３６】
図６は、一部の例示的実施形態に係る緊急呼び出しの処理の例を示す。
【００３７】
６１０において、一部の例示的実施形態によると、ユーザ機器が第５世代無線アクセス技術および５Ｇコアネットワークで緊急通話を実行するか、または別の無線アクセス技術および５Ｇコアネットワークで実行するか、またはフォールバックとして別のシステムにフォールバックするかを制御する標示をユーザ機器が受信してもよい。例えば、本願明細書に記載の１つ以上の標示は、ユーザ機器は５Ｇシステムで緊急通話を実行できるか、またはＥＰＳ等のその他の技術にフォールバックするかについて制御するものであってもよい。上述のように、ユーザ機器は標示を、５Ｇコアネットワークから（例えば、非アクセス層を介して）、および／または基地局から（例えば、システム情報ブロードキャストおよび／または無線リソース制御等のアクセス層を介して）受信してもよい。
【００３８】
６２０において、一部の例示的実施形態によると、ユーザ機器は、受信した標示に基づいて、緊急通話を実行してもよい。より具体的には、ユーザ機器は５Ｇ  ＣＮによってサービス提供受けてもよい。その場合、ユーザ機器は、緊急通話をどのように実行するかを、受信した標示に基づいて決定する。例えば、レジストレーション時、５Ｇコアネットワーク（例えば非アクセス層を介して）からの標示は、ユーザ機器１１０に対して、Ｅ−ＵＴＲＡ２１７／３１５を緊急音声呼び出し使用することを示してもよい（５Ｇ／ＮＲは、その他の種類のデータおよび／または音声サービスに継続して利用される）。さらに、標示はユーザ機器１１０に対して、５Ｇシステムが緊急呼び出しに対応するかを示してもよい。その場合、ユーザ機器１１０は５Ｇ  ＣＮ１２０も緊急通話に利用してもよい。
【００３９】
さらに具体的には、ユーザ機器は５Ｇ  ＣＮにサービス提供を受けてもよい。その場合、ユーザ機器は、緊急通話をどのように実行するかを、受信した標示に基づいて決定してもよい。例えば、システム情報ブロードキャスト（受信した標示を含んでもよい）を確認することで、ユーザ機器１１０は、Ｅ−ＵＴＲＡ２１７／３１５およびＥＰＣ３７０を緊急音声呼び出しに利用すべきと判断する（５Ｇ／ＮＲは、その他の種類のデータおよび／または音声サービスに継続して利用される）。さらに、標示はユーザ機器１１０に対して、５Ｇシステムが緊急呼び出しに対応するかを示してもよい。その場合、ユーザ機器１１０は５Ｇ  ＣＮ１２０も緊急通話に利用してもよい。
【００４０】
一部の例示的実施形態では、ユーザ機器が受信した標示は、ユーザ機器が５ＧコアあるいはＥＰＣ等の別のコアを使用するかを示しうる。例えば、ユーザ機器は、無線アクセスネットワーク（ＮＲおよび／またはＥ−ＵＴＲＡ等）に接続され、標示を受信して、５Ｇコアネットワークを通じて緊急通話を実行しうる。さらに／あるいは、標示は、ユーザ機器に対して、５Ｇコアネットワークを通じて緊急通話を実行せず、前記別のコアネットワークにフォールバックを実行することを示してもよい。さらに／あるいは、標示は、ユーザ機器に対して、ＥＰＣ等の別のコアネットワークを使用することを示してもよい。上述のように、標示はコアネットワーク（例えば、５Ｇコアネットワークおよび／またはＥＰＣ）から非アクセス層を通じて、および／またはシステム情報ブロードキャスト、無線リソース制御シグナリング等のアクセス層シグナリングを介して、および／またはその他の方法で受信されてもよい。５Ｇコアネットワークの場合、標示はアクセスおよびモビリティ管理機能を含むコアノードにより提供されてもよい。
【００４１】
図７は、一部の例示的実施形態に係る緊急呼び出し用処理の別の例を示す。
【００４２】
７１０において、一部の例示的実施形態によると、ネットワークノードは、ユーザ機器が第５世代無線アクセス技術で、またはフォールバックとして別の無線アクセス技術で緊急通話を実行することを制御するための標示をユーザ機器に送信してもよい。例えば、本願明細書に開示された１つ以上の標示は、ネットワークノード（例えば、上述のように、アクセス層または非アクセス層を介して）によりユーザ機器に送信されてもよい。これにより、ユーザ機器が５Ｇコアネットワーク／ＮＲで緊急通話を実行するか、ＬＴＥ等のその技術にフォールバックするかを制御する。
【００４３】
７２０において、一部の例示的実施形態によると、ネットワークノードは、ユーザ機器に送信された標示により制御された緊急通話の要素を扱ってもよい。例えば、ユーザ機器が標示に基づいて５Ｇシステムにより緊急通話を実行する場合、５Ｇコアネットワークがその緊急通話を扱ってもよいし、緊急通話はＬＴＥ等のその他の技術にフォールバックされてもよい。
【００４４】
一部の例示的実施形態では、ネットワークノードにより送信される標示は、ユーザ機器が５ＧコアまたはＥＰＣ等のその他のコアのいずれを使用するかを示してもよい。例えば、ユーザ機器は、無線アクセスネットワーク（ＮＲおよび／またはＥ−ＵＴＲＡ等）に接続され、標示は、緊急通話が５Ｇコアネットワークを通じて実行されるべきと示してもよい。さらに／あるいは、標示は、ユーザ機器に対して、５Ｇコアネットワークを通じて緊急通話を実行せず、前記別のコアネットワークにフォールバックを実行することを示してもよい。さらに／あるいは、標示は、ユーザ機器に対して、ＥＰＣ等の前記別のコアネットワークを使用することを示してもよい。上述のように、標示は、コアネットワーク（例えば、５Ｇコアネットワークおよび／またはＥＰＣ）から非アクセス層を通じて、および／またはシステム情報ブロードキャスト、無線リソース制御シグナリング等のアクセス層シグナリングを介して、および／またはその他の方法で受信されてもよい。ネットワークノードは、アクセスおよびモビリティ管理機能を含むコアノードに対応してもよい。
【００４５】
いくつかの例は、緊急音声通話について記載されたが、緊急通話は、緊急ビデオ通話、緊急テキストメッセージ通話、緊急メッセージ通話、および／またはその他の形式の通話であってもよい。
【００４６】
図８は、一部の例示的実施形態に係る装置１０のブロック図を示す。
【００４７】
装置１０は、ユーザ機器（ユーザ機器１１０等）を示してもよい。さらに／あるいは、装置１０の１つ以上の部分を使用して、基地局、コアネットワークノード等のネットワークノードを実装してもよい。
【００４８】
装置１０は、送信機１４および受信機１６と通信する少なくとも１つのアンテナ１２を備えてもよい。あるいは、送信機と受信機のアンテナがそれぞれ別々でもよい。装置１０は、送信機および受信機とそれぞれ信号をやり取りし、装置の機能を制御するように構成されたプロセッサ２０を備えてもよい。プロセッサ２０は、電気接続を介して送信機および受信機と信号をやり取りする制御を有効にすることによって、送信機および受信機の機能を制御するように構成されてもよい。同様に、プロセッサ２０は、例えばディスプレイやメモリ等、電気接続を介してプロセッサ２０に接続する装置１０の他の要素と信号をやり取りする制御を有効にすることによって、こうした他の要素を制御するように構成されてもよい。プロセッサ２０は、例えば、様々な手段として具現化されることができる。こうした手段には、回路や少なくとも１つの処理コア、協働するデジタル信号プロセッサ（Digital Signal Processor：ＤＳＰ）を備える１つ以上のマイクロプロセッサ、デジタル信号プロセッサを備えていない１つ以上のプロセッサ、１つ以上のコプロセッサ、１つ以上のマルチコアプロセッサ、１つ以上のコントローラ、処理回路、１つ以上のコンピュータ、集積回路を含む各種処理要素（例えば、特定用途向け集積回路（Application-Specific Integrated Circuit：ＡＳＩＣ）、フィールドプログラマブルゲートアレイ（Field Programmable Gate Array：ＦＰＧＡ）、等）、またはこれらの組合せが挙げられる。したがって、図８にはプロセッサ単体が示されているが、一部の例示的実施形態では、プロセッサ２０は複数のプロセッサまたは処理コアを備えてもよい。
【００４９】
装置１０は、１つ以上の無線インタフェース規格や通信プロトコル、変調タイプ、アクセスタイプ等によって動作可能であってもよい。プロセッサ２０がやり取りする信号には、利用可能なセルラシステムの無線インタフェース規格や、各種有線・無線ネットワーク技術の規格に従ったシグナリング情報を含んでいてもよい。こうした技術には、例えば、米国電気電子学会（ＩＥＥＥ）の８０２．１１、８０２．１６、８０２．３規格、ＡＤＳＬ、ＤＯＣＳＩＳ等のようなＷｉ−Ｆｉや無線ローカルエリアネットワーク（ＷＬＡＮ）技術等のいずれか、またはそれらの組合せが含まれる。さらに、こうした信号には、音声データ、ユーザが生成したデータ、ユーザが要求したデータ等が挙げられるが、これらに限定されるものではない。
【００５０】
例えば、装置１０および／またはその中にあるセルラモデムは、種々の第１世代（１Ｇ）通信プロトコル、第２世代（２Ｇまたは２．５Ｇ）通信プロトコル、第３世代（３Ｇ）通信プロトコル、第４世代（４Ｇ）通信プロトコル、第５世代（５Ｇ）通信プロトコル、インターネットプロトコルマルチメディアサブシステム（ＩＭＳ）通信プロトコル（例えば、セッション開始プロトコル（Session Initiation Protocol：ＳＩＰ）等）のいずれかに従って動作可能であってもよい。例えば、装置１０は、２Ｇの無線通信プロトコルであるＩＳ−１３６、時分割多重アクセス（Time Division Multiple Access：ＴＤＭＡ）、ＧＳＭ（登録商標）、ＩＳ−９５、符号分割多重アクセス（Code Division Multiple Access：ＣＤＭＡ）等のいずれかに従って動作可能であってもよい。さらに、例えば、装置１０は、２．５Ｇの無線通信プロトコルであるＧＰＲＳ（General Packet Radio Service）、ＥＤＧＥ（Enhanced Data GSM Environment）等のいずれかに従って動作可能であってもよい。さらに、例えば、装置１０は、３Ｇの無線通信プロトコルである、ＵＭＴＳ（Universal Mobile Telecommunications System）、ＣＤＭＡ２０００、ＷＣＤＭＡ（登録商標）、時分割複信−符号分割多元アクセス（Time Division-Synchronous Code Division Multiple Access：ＴＤ−ＳＣＤＭＡ）等のいずれかに従って動作可能であってもよい。装置１０は、第３.９世代の無線通信プロトコルであるロングタームエボリューション（ＬＴＥ）、発展型ユニバーサル地上無線アクセスネットワーク（Ｅ−ＵＴＲＡＮ（Evolved Universal Terrestrial Radio Access Network））等のいずれかに従って動作可能であってもよい。また、例えば、装置１０は、４Ｇの無線通信プロトコルであるＬＴＥ−Ａｄｖａｎｃｅｄ、５Ｇ、今後開発されうる同様の無線通信プロトコル等のいずれかに従って動作可能であってもよい。
【００５１】
プロセッサ２０は、装置１０のオーディオ／ビデオ機能や論理機能を実装する回路を備えてもよいことが理解されよう。例えば、プロセッサ２０は、デジタル信号プロセッサデバイス、マイクロプロセッサデバイス、アナログデジタル変換器、デジタルアナログ変換器等を備えてもよい。装置１０の機能を処理する制御および信号は、それぞれの機能に応じて、これらのデバイス間で割り当てられてもよい。プロセッサ２０は、内蔵の音声符号化器（Voice Coder：ＶＣ）２０ａや内蔵のデータモデム（ＤＭ）２０ｂ等のいずれかを備えてもよい。さらに、プロセッサ２０は、メモリに記録されうる１つまたは複数のソフトウェアプログラムを実行する能力を有してもよい。一般に、プロセッサ２０と格納されたソフトウェア命令は、装置１０に動作を実行させるように構成することができる。例えば、プロセッサ２０は、ウェブブラウザ等のような接続プログラムを実行可能でもよい。当該接続プログラムによって、装置１０は、位置ベースコンテンツ等のウェブコンテンツを、無線アプリケーションプロトコル（ＷＡＰ）やハイパーテキスト転送プロトコル（ＨＴＴＰ）等のいずれかのようなプロトコルに従って送受信可能になる。
【００５２】
装置１０は、プロセッサ２０と制御可能に接続されうる要素であって、例えば、プロセッサ２０に動作可能に接続されうるイヤフォンまたはスピーカ２４、リンガ２２、マイク２６、ディスプレイ２８、ユーザ入力インタフェース等のユーザインタフェースをさらに備えてもよい。ディスプレイ２８には、前述のように、タッチセンシティブディスプレイであって、ユーザが選択や値の入力等のいずれかを行うためにタッチおよび／またはジェスチャ入力のいずれかを行うことができるディスプレイが含まれてもよい。プロセッサ２０は、ユーザインタフェースの１つまたは複数の要素に関する少なくとも一部の機能を制御するように構成されるユーザインタフェース回路を備えてもよい。こうしたユーザインタフェースは、スピーカ２４、リンガ２２、マイク２６、ディスプレイ２８等のいずれかでもよい。プロセッサ２０および／またはプロセッサ２０を備えるユーザインタフェース回路は、例えば、コンピュータプログラム命令を通じて、ユーザインタフェースの１つまたは複数の要素の１つまたは複数の機能を制御するように構成されてもよい。こうしたコンピュータプログラム命令は、例えば、プロセッサがアクセス可能な揮発性メモリ４０および／または不揮発性メモリ４２等のメモリに格納されるソフトウェアおよび／またはファームウェアでもよい。装置１０は、携帯端末に関連する種々の回路に給電するバッテリを備えてもよい。こうした回路には、例えば、検出可能な出力として機械振動を与える回路がある。ユーザ入力インタフェースは、装置１０がデータを受け取れるようにするデバイスを備えてもよい。こうしたデバイスは、例えばキーパッド３０（ディスプレイ２８に表示される仮想キーボードや外部接続キーボードでもよい）および／またはその他の入力デバイスであってもよい。
【００５３】
図８に示されるように、装置１０は、データを共有および／または取得するための１つまたは複数の機構を備えてもよい。例えば、装置１０は、短距離無線（ＲＦ）送受信機および／または質問器（インテロゲータ）６４を備えていてもよく、これにより、データは、無線技術に従って電子デバイスと共有されたり、電子デバイスから取得されたりすることができる。装置１０は、その他の短距離送受信機であって、例えば、赤外線（infrared：ＩＲ）送受信機６６、ブルートゥース（登録商標）無線技術で動作するブルートゥース送受信機６８、無線ユニバーサルシリアルバス（Universal Serial Bus：ＵＳＢ）送受信機７０、Ｂｌｕｅｔｏｏｔｈ（登録商標）低エネルギー送受信機、ＺｉｇＢｅｅ送受信機、ＡＮＴ送受信機、セルラーデバイス・デバイス間送受信機、無線ローカルエリアリンク送受信機、および／またはその他の任意の短距離無線技術等のいずれかを備えてもよい。装置１０、特に短距離送受信機は、例えば１０ｍ以内といった装置の近傍において、他の電子機器との間でデータ送受信が可能でもよい。Ｗｉ−Ｆｉまたは無線ローカルエリアネットワーキングモデムを備える装置１０は、種々の無線ネットワーク技術に従って、他の電子デバイスとの間でデータ送受信が可能でもよい。こうした無線ネットワーク技術には、６ＬｏＷｐａｎやＷｉＦｉ、低電力ＷｉＦｉ、無線ＬＡＮ技術であるＩＥＥＥ８０２．１１技術やＩＥＥＥ８０２．１５技術、ＩＥＥＥ８０２．１６技術等のいずれかが含まれてもよい。
【００５４】
装置１０は、移動端末の加入者に関連する情報要素を格納することができるメモリを備えてもよく、こうしたメモリは、加入者識別モジュール（ＳＩＭ）３８や着脱式ユーザ識別モジュール（Ｒ−ＵＩＭ）、ｅＵＩＣＣ、ＵＩＣＣ等のいずれかでもよい。装置１０は、ＳＩＭに加えて他の着脱式メモリおよび／または固定メモリを備えてもよい。装置１０は、揮発性メモリ４０および／または不揮発性メモリ４２を備えてもよい。例えば、揮発性メモリ４０は、ランダムアクセスメモリ（ＲＡＭ）を含んでもよく、これにはダイナミックおよび／またはスタティックＲＡＭ、オンチップまたはオフチップのキャッシュメモリ等を含んでもよい。不揮発性メモリ４２は、内蔵および／または着脱可能であってもよく、また、例えばリード・オンリー・メモリ、フラッシュメモリ、磁気記憶デバイス（例えば、ハードディスク、フレキシブルディスクドライブ、磁気テープ等）、光ディスクドライブおよび／または光ディスクメディア、不揮発性のランダムアクセスメモリ（ＮＶＲＡＭ）等を含んでもよい。揮発性メモリ４０と同様に、不揮発性メモリ４２は、データの一時的な記憶のためのキャシュエリアを含んでもよい。揮発性および／または不揮発性メモリの少なくとも一部がプロセッサ２０に組み込まれていてもよい。こうしたメモリは、装置が本願明細書に記載の動作を遂行するために使用することができる１つまたは複数のソフトウェアプログラムや命令、情報片、データ等を格納してもよい。当該動作には例えば、ユーザ機器が第５世代無線アクセス技術で緊急通話を実行するか、フォールバックとして別の無線アクセス技術で実行するかを制御する標示を前記ユーザ機器が受信することと、前記受信した標示に基づいて、前記ユーザ機器が前記緊急通話を実行することと、が挙げられる。さらに／あるいは、メモリには、装置が本願明細書に記載の動作を遂行するために使用することができる１つ以上のソフトウェアプログラム、命令、情報片、データ等が記憶されてもよい。当該動作には例えば、例えば、ユーザ機器が第５世代無線アクセス技術で緊急通話を実行するか、フォールバックとして別の無線アクセス技術で実行するかを制御する標示を前記ユーザ機器に送信することと、前記送信した標示に基づいて、前記緊急通話を扱うことと、が挙げられる。
【００５５】
メモリは、装置１０を一意に識別可能な国際移動体装置識別（International Mobile Equipment Identification：ＩＭＥＩ）コード等の識別子を備えてもよい。例示的実施形態では、プロセッサ２０は、メモリ４０および／または４２に記憶されたコンピュータコードを使用して、本願明細書に記載の１つ以上の態様（例えば、処理６００、７００、および／または本願明細書に記載のその他の動作／機能）を制御および／または提供するように構成されていてもよい。
【００５６】
本願明細書に開示された一部の実施形態は、ソフトウェアやハードウェア、アプリケーションロジック、またはこれらの組合せとして実装されてもよい。ソフトウェア、アプリケーションロジック、および／またはハードウェアは、例えば、メモリ４０、制御装置２０、電子コンポーネントのいずれかに存在してもよい。一部の例示的実施形態では、アプリケーションロジック、ソフトウェア、または命令セットは、種々の標準的なコンピュータ可読媒体のいずれかに保持される。本願の文脈において「コンピュータ可読媒体」は非一時的媒体であって、例えば、図８に例示された実施例を伴うコンピュータやデータプロセッサエンティティのような命令実行システムや装置、デバイスで使用されるまたはそれと共に使用される命令の収容、格納、通信、伝達、送信のいずれかが可能である媒体でもよい。コンピュータ可読媒体には非一時的コンピュータ可読記憶媒体が含まれ、この記憶媒体は、例えばコンピュータ等の命令実行システムや装置、デバイスで使用されるまたはそれと共に使用される命令の収容または格納が可能である任意の媒体でもあってよい。
【００５７】
本願明細書に記載された１つ以上の例示的実施形態による技術的効果は、緊急呼び出しの制御を向上することである。ただし、これは下記の請求項の範囲、解釈、または適用をいかようにも限定するものではない。
【００５８】
本願明細書に記載された主題は、所望の構成に応じて、システム、装置、方法、および／または物品に実施されてもよい。例えば、本願明細書に記載された基地局およびユーザ機器（または１つ以上ののその構成要素）および／または処理は、プログラムコードを実行するプロセッサ、特定用途向け集積回路（ＡＳＩＣ）、デジタル信号プロセッサ（ＤＳＰ）、組み込みプロセッサ、フィールドプログラマブルゲートアレイ（ＦＰＧＡ）および／またはこれらの組合せの１つ以上を使用して実装可能である。これらの様々な実装は、記憶システムとデータおよび命令を送受信するよう結合された、専用または汎用とされうる少なくとも１つのプログラマブルプロセッサと、少なくとも１つの入力デバイスと、少なくとも１つの出力デバイスとを含むプログラマブルシステム上で実行可能および／または解釈可能な、１つ以上のコンピュータプログラムにおける実装を含んでもよい。これらのコンピュータプログラム（プログラム、ソフトウェア、ソフトウェアアプリケーション、アプリケーション、コンポーネント、プログラムコード、またはコードとしても知られる）は、プログラマブルプロセッサのための機械命令を含み、高水準手続き型および／またはオブジェクト指向プログラミング言語で、および／またはアセンブリ言語／機械語で実装されてもよい。本願明細書で使用される「コンピュータ可読媒体」という用語は、機械命令を受信する機械可読媒体を含む、プログラマブルプロセッサに機械命令および／またはデータを提供するために使用される任意のコンピュータプログラム製品、機械可読媒体、コンピュータ可読記憶媒体、装置、および／またはデバイス（例えば、磁気ディスク、光ディスク、メモリ、プログラマブル論理デバイス（Programmable Logic Device：ＰＬＤ））を指す。同じく、プロセッサと、このプロセッサに結合されたメモリと、を含みうるシステムも本願明細書に記載される。メモリは、本願明細書に記載された動作のうちの１つ以上をプロセッサに実行させる１つ以上のプログラムを含んでもよい。
【００５９】
数例の変形を詳細に説明したが、その他の修正や追加も可能である。特に、本願明細書に規定されたものに加えて、追加の特徴および／または変形を加えられる場合がある。上記実装はさらに、開示された特徴の様々な組合せや一部組合せおよび／または開示された複数の追加の特徴の組合せや一部組合せを対象としていてもよい。その他の実施形態も以下の請求項の範囲内である場合がある。
【００６０】
必要に応じて、本願明細書に記載された別々の機能が、異なる順序および／または互いに同時に実施されてもよい。さらに、必要に応じて、上記機能の１つ以上が任意であっても、組み合わされてもよい。一部の実施形態の各種態様は独立請求項に規定されているが、一部の実施形態の別の態様は、上述の実施形態および／または従属請求項における特徴と独立請求項の特徴の別の組合せを含み、この組合せは請求項に明示されたものに限られない。本願明細書において、例示的実施形態が示されているが、これらの記載は限定的に捉えるべきものではない。むしろ、以下の特許請求の範囲から逸脱することなく各種変更や変形を加えられる場合がある。その他の実施形態も、以下の請求項の範囲内である場合がある。「〜に基づく」という語は、「少なくとも〜に基づく」との意味を含む。「〜等」という語は、別途規定のない限り、「例えば〜等」を意味する。